(57)【要約】      （修正有）【課題】局部に綿糸を備えたゴルフクラブグリップを提供する。【解決手段】主に端頭１とスリーブを含み、該スリーブの左右の外表面に綿糸Ｄを備える。この構造によりグリップと手との摩擦力を増加し、打球時のすべり現象を減少させ、さらに摩擦により指が傷つくことを回避し、使用の快適性を向上させることができる。【選択図】図２
0003130681.tif 000002
【実用新案登録請求の範囲】
【請求項１】
主に端頭とスリーブを含み、該スリーブの上節2/3から5/6の外表面には綿糸を備えることを特徴とする局部に綿糸を備えたゴルフクラブグリップ。
【請求項２】
前記綿糸を備える部位はグリップの中央線を対称軸とし、該スリーブの上節において対称形成することを特徴とする請求項１記載の局部に綿糸を備えたゴルフクラブグリップ。
【請求項３】
前記綿糸を備える部位はグリップの中央線を境界とし、該スリーブの上節に偏って形成することを特徴とする請求項１記載の局部に綿糸を備えたゴルフクラブグリップ。
【考案の詳細な説明】
【技術分野】
【０００１】
本考案は一種のゴルフクラブグリップの技術領域に関する。特に一種の局部に綿糸を備えたグリップ構造に係る。
【背景技術】
【０００２】
公知のゴルフクラブグリップでは、グリップと人の手の摩擦力を増加し、打撃時に手がすべる現象を減少させるために、多種の設計が開発されている。
例えば、米国特許US6666777B1は局部を綿糸で包覆するグリップを掲示している。この種のゴルフクラブグリップは、上節の1/2外表面のみに綿糸を備えるが、実は人の手がグリップ上を握る時には、手の平の一部と４本の指は綿糸に接触していない。よって打球時の手が滑る現象はやはり発生し、使用効果は理想的とは言えない。
本考案人はこの点に対して改良を加え、CN1644233Aに掲示するゴルフクラブグリップを開発した。該構造はグリップ全体の上節においてすべて綿糸を備えるため、人の手がグリップ上を握る時、手の平全体と４本の指はすべて綿糸に接触し、人の手とグリップの摩擦力をさらに強化することができ、打撃時に手が滑る現象を確実に防止することができる。
しかし、この種のゴルフクラブグリップは上節全体に綿糸を備えるため、親指も綿糸に接触してしまい、打撃時に、粗い綿糸繊維により指が傷つき易く、使用の快適性に悪影響を及ぼす。
よって、本考案人はゴルフクラブグリップに対してさらなる改良を加え、グリップと人の手の摩擦力を増加し、打球時のすべり現象を減少させ、さらに摩擦により指が傷つくことを回避し、使用の快適性を向上させることができる。
【特許文献１】米国特許US6666777B1
【特許文献２】CN1644233A
【考案の開示】
【考案が解決しようとする課題】
【０００３】
本考案は上記構造の問題点を解決した局部に綿糸を備えたゴルフクラブグリップを提供するものである。
【課題を解決するための手段】
【０００４】
上記課題を解決するため、本考案は下記の局部に綿糸を備えたゴルフクラブグリップを提供する。
それは主に局部に綿糸を備えたゴルフクラブグリップを提供し、グリップと手の摩擦力を増加し、打球時のすべり現象を減少させ、さらに摩擦により指が傷つくことを回避し、使用の快適性を向上させ、
すなわちその局部に綿糸を備えたゴルフクラブグリップは端頭とスリーブを含み、該スリーブの上節2/3から5/6の外表面には綿糸を備え、
該綿糸を備える部位はグリップの中央線を対称軸とし、該スリーブの上節において対称形成し、
該綿糸を備える部位はグリップの中央線を境界とし、該スリーブの上節に偏って形成し、
上記構造を採用後、本考案はスリーブの上節2/3から5/6(すなわち3/4前後)の外表面は綿糸を備え、これにより人の手がグリップ上を握る時、手の平全体と４本の指はすべて綿糸に接触し、US6666777B1と比較すると、人の手とグリップの摩擦力をさらに強化することができ、打撃時に手が滑る現象を効果的に防止可能で、
同時に本考案は上節の1/2より小さい部位に綿糸を備えず、CN1644233Aと比較すると、親指が綿糸に接触しないため、打撃時に指の摩擦による傷害を効果的に回避可能で、こうして使用の快適性を向上させることができる局部に綿糸を備えたゴルフクラブグリップを提供する。
【考案の効果】
【０００５】
上記のように、本考案はスリーブの上節2/3から5/6、すなわち3/4前後の外表面を綿糸Ｄを備える設計とし、人の手がグリップ上を握る時、手の平全体と４本の指はすべて綿糸に接触するが、親指は綿糸に接触しないため、人の手とグリップの摩擦力を増加させ、打撃時に手が滑る現象を効果的に防止しながら、指の摩擦による傷害を回避することができる。こうして使用の快適性を向上させることができる。さらにグリップは単色（端頭とスリーブ全体の色は相同）、２色（端頭とスリーブ全体の色は異なる、或いはスリーブの綿糸を備える部位と綿糸を備えない部位の色は異なる、或いは綿糸を備える部位と装飾段の色は相同で、綿糸を備えない部位の色は異なるなど）さらに３色（スリーブの綿糸を備える部位と綿糸を備えない部位及び装飾段の色はみな異なる）とすることができ、表面の模様や具体的加工方式、各加工ゴム材料の硬度にも各種の変動や潤色を加えることができ、これらはすべて本考案の保護範囲はとし、特許請求の範囲で指定した内容を基準とする。
【考案を実施するための最良の形態】
【０００６】
図1、2、3に示すように、本考案の第一実施例は局部に綿糸を備えたゴルフクラブグリップ端頭とスリーブを含み、該スリーブの上節2/3から5/6の外表面には綿糸Dを備える。
該綿糸Dを備える外表面の範囲は3/4が最適である。こうして人の手が本考案のグリップ上を握る時、手の平全体と４本の指はすべて綿糸Dに接触し、US6666777B1と比較すると、人の手とグリップの摩擦力をさらに強化することができ、打撃時の手の滑りを防止することができる。同時に、CN1644233Aと比較すると、親指は綿糸に接触しないため、摩擦により指が傷つくことを回避可能で、使用の快適性を向上させることができる。
本実施例では綿糸を備える部位の下端にさらに導角Aを形成する。該導角Aは親指をさらに綿糸から離し、快適性はさらに向上する。また該綿糸を備える上節の上端にも導角A1を形成し、これによりグリップ外観のラインをさらに滑らかにすることができる。当然、導角を形成しないこともできるが、本文では図示しない。該スリーブの下節末端には装飾段Eを備え、該装飾段EはLOGO、図案等のプリントに適し、グリップ全体を装飾することができる。
【０００７】
具体的加工成型は図1に示すように、本実施例の綿糸Dを備える部位はグリップ製品の中央線を対称軸とし、該スリーブの上節において対称形成する。グリップ完成品は左手及び右手による握持に同時に適用可能である。
グリップは端頭1、綿糸Dを備える1/2上節片2、２個の綿糸Dを備える小上節片3、綿糸を備えない長片4、綿糸を備えない下節片5、２個の装飾段片6の合計８枚のゴムを型具Bと型芯Cにより加熱加硫定型し製造する。
内、該綿糸Ｄを備える部位は一種の色を呈し、装飾段も一種の色を呈し、その他の綿糸を備えない部位は別の色を呈する。こうして完成したグリップはさらに装飾性と美しさを備える。また各ゴムブロックも異なる硬度を採用し、例えば上節部分は硬質ゴムを採用し、グリップ主体を堅固にし、良好な打球効果を備えさせる。また下節部分は軟質ゴムを採用することで、グリップ下方はさらに良好な握持の快適性を備える。
【０００８】
さらに図4に示すように、本考案の第二実施例と第一実施例の差異は、綿糸を備えない長片4は綿糸を備えない小上節片41とその下方の綿糸を備えない下節片42（小上節片41と下節片42は異なる硬度のゴム材料を選択する）に分かれる点である。これによりグリップは端頭1、綿糸Dを備える1/2上節片2、２個の綿糸Dを備える小上節片3、綿糸を備えない小上節片41、綿糸を備えない下節片42、綿糸を備えない下節片5、２個の装飾段片6の合計９枚のゴムを型具Bと型芯Cにより加熱加硫定型し製造する。この実施例の完成品外観は第一実施例と相同し、２個の綿糸Dを備える小上節片3の下端には導角Aを形成し、上端には導角A1を形成する。
【０００９】
次に図5、6、7に示すように、本考案の第三実施例と第一実施例の差異は、グリップは端頭1、綿糸Dを備える1/2上節片2、２個の綿糸Dを備える小上節片3、綿糸を備えない長片43、綿糸を備えない下節片51の合計６枚のゴムを型具Bと型芯Cにより加熱加硫定型し製造する点である。この実施例の完成品外観と第一実施例はいくらか異なり、スリーブの下節末端には装飾段がないが、２個の綿糸Dを備える小上節片3の下端には導角Aを形成し、上端には導角A1を形成する。第二、三実施例と第一実施例のグリップ完成品は動揺に左手及び右手による握持に同時に適用可能である。
【００１０】
さらに図8、9、10に示すように、本考案の第四実施例と第一実施例の差異は、綿糸Ｄを備える部位はグリップ製品の中央線を境界とし、該スリーブの上節に偏って形成し、グリップ完成品は左手或いは右手のみの握持に適用する点である。
グリップは端頭1、綿糸Dを備える1/2上節片2、綿糸Dを備える小上節片31、綿糸Ｄを備えない長片44、綿糸を備えない下節片50、２個の装飾段片6の合計７枚のゴムを型具Bと型芯Cにより加熱加硫定型し製造する。この実施例完成品の外観は図9、10に示すように、綿糸Ｄを備える小上節片31の下端には導角Aを、上端には導角A1を形成し、スリーブの下節末端には装飾段Eを備える。
【００１１】
図11に示すように、本考案の第五実施例と第四実施例の差異は、綿糸を備えない長片44は綿糸を備えない小上節片45とその下方の綿糸を備えない下節片46に分かれ（小上節片45と下節片46は異なる硬度のゴム材料を選択する）る点である。
グリップは端頭1、綿糸Dを備える1/2上節片2、綿糸Dを備える小上節片31、綿糸を備えない小上節片45、綿糸を備えない下節片46、綿糸を備えない下節片50、２個の装飾段片6の合計８枚のゴムを型具Bと型芯Cにより加熱加硫定型し製造する。この実施例完成品外観は第四実施例と相同で、綿糸Dを備える小上節片31の下端には導角Aを形成し、上端には導角A1を形成する。
【００１２】
図12、13、14に示すように、本考案の第六実施例と第四実施例の差異は、グリップは端頭1、綿糸Dを備える1/2上節片2、綿糸Dを備える小上節片31、綿糸を備えない長片47、綿糸を備えない下節片52の合計五枚のゴムを型具Bと型芯Cにより加熱加硫定型し製造する点である。この実施例完成品外観と第四実施例はいくらか異なり、スリーブの下節末端には装飾段がないが、綿糸Dを備える小上節片31の下端には導角Aを形成し、上端には導角A1を形成する。第五、六実施例と第四実施例のグリップ完成品は同様に左手或いは右手による握持のみに適用される。
【図面の簡単な説明】
【００１３】
【図１】本考案第一実施例の加工指示図である。
【図２】本考案第一実施例の完成品外観図一である。
【図３】本考案第一実施例の完成品外観図二である。
【図４】本考案第二実施例の加工指示図である。
【図５】本考案第三実施例の加工指示図である。
【図６】本考案第三実施例の完成品外観図一である。
【図７】本考案第三実施例の完成品外観図二である。
【図８】本考案第四実施例の加工指示図である。
【図９】本考案第四実施例の完成品外観図一である。
【図１０】本考案第四実施例の完成品外観図二である。
【図１１】本考案第五実施例の加工指示図である。
【図１２】本考案第六実施例の加工指示図である。
【図１３】本考案第六実施例の完成品外観図一である。
【図１４】本考案第六実施例の完成品外観図二である。
【符号の説明】
【００１４】
A  導角
A1  導角
B  型具
C  型芯
D  綿糸
1  端頭
2  1/2上節片
3  小上節片
4  長片
41  小上節片
42  下節片
43  長片
44  長片
45  小上節片
46  下節片
47  長片
5  下節片
50  下節片
51  下節片
52  下節片
6  装飾段片
【図１】
0003130681.tif 000003
【図２】
0003130681.tif 000004
【図３】
0003130681.tif 000005
【図４】
0003130681.tif 000006
【図５】
0003130681.tif 000007
【図６】
0003130681.tif 000008
【図７】
0003130681.tif 000009
【図８】
0003130681.tif 000010
【図９】
0003130681.tif 000011
【図１０】
0003130681.tif 000012
【図１１】
0003130681.tif 000013
【図１２】
0003130681.tif 000014
【図１３】
0003130681.tif 000015
【図１４】
0003130681.tif 000016